【手続補正書】
【提出日】平成19年11月19日(2007.11.19)
【手続補正１】
【補正対象書類名】明細書
【補正対象項目名】特許請求の範囲
【補正方法】変更
【補正の内容】
【特許請求の範囲】
【請求項１】  少なくとも第一および第二の映像ソースを含む複数の映像ソースの映像を、表示することが可能なデジタルテレビジョン装置であって、
前記複数の映像ソースをそれぞれ接続する接続手段と、
前記複数の映像ソースからその映像に付帯された付帯情報をそれぞれ取得する取得手段と、
前記複数の映像ソースの内、前記第一の映像ソースから取得された付帯情報を用いて前記第二の映像ソースから取得された付帯情報を検索する検索手段と、
前記検索の結果を記録する記録手段と、
前記第一の映像ソースの映像を表示中に、前記記録された検索の結果に基づき前記第二の映像ソースから前記第一の映像ソースの映像に関連付けられる映像を読み出す読出し手段と、
前記第二の映像ソースから読み出された映像を表示する制御手段と
を備えることを特徴とするデジタルテレビジョン装置。
【請求項２】  前記第一および第二の映像ソースの付帯情報は、撮影日時データであることを特徴とする請求項１記載のデジタルテレビジョン装置。
【請求項３】  前記第一の映像ソースの映像を表示中に、前記第二の映像ソースが前記接続手段に接続されると、前記検索手段は前記検索を開始することを特徴とする請求項１記載のデジタルテレビジョン装置。
【請求項４】  前記第一および第二の映像ソースの付帯情報は、撮影位置データであることを特徴とする請求項１記載のデジタルテレビジョン装置。
【請求項５】  前記第一の映像ソースの映像は、連続する時間軸上に展開されている動画像であり、前記読出し手段は、前記第一の映像ソースから前記第二の映像ソースの映像に関連付けられた動画像を読み出す際に、前記第一の映像ソースの動画像の最初の部分が先頭位置にない場合は、前記第一の映像ソースの動画像の最初の部分が先頭位置になるように設定した後に前記先頭位置からの読み出し、または動画像の読み出し対象部分の一定の区間前の位置からの読み出しを開始することを特徴とする請求項１又は２記載のデジタルテレビジョン装置。
【請求項６】  前記第一の映像ソースは、デジタル放送を含む放送または通信手段を介して映像を送出する外部装置であることを特徴とする請求項１ないし５のいずれか１つに記載のデジタルテレビジョン装置。
【請求項７】  前記第一の映像ソースは、動画像を供給する装置であり、前記制御手段は、前記第一の映像ソースの動画像と関連付けされた第二の映像ソースの映像が静止画像であるときには、前記第一の映像ソースから再生された動画像を表示した表示画面の一部に、前記第一の映像ソースの動画像と関連付けされた第二の映像ソースの映像を表示することを特徴とする請求項１ないし５のいずれか１つに記載のデジタルテレビジョン装置。
【請求項８】  前記制御手段は、前記表示画面の一部に前記第二の映像ソースの映像を複数表示するとともに、外部入力に応じて操作対象を、前記第一の映像ソースの映像あるいは前記第二の映像ソースの複数の映像に移動させることを特徴とする請求項７記載のデジタルテレビジョン装置。
【請求項９】  少なくとも第一および第二の映像ソースを含む複数の映像ソースの映像を、表示するための画像表示方法であって、
前記複数の映像ソースをそれぞれ接続する工程と、
前記複数の映像ソースからその映像に付帯された付帯情報をそれぞれ取得する工程と、
前記複数の映像ソースの内、前記第一の映像ソースから取得された付帯情報を用いて前記第二の映像ソースから取得された付帯情報を検索する工程と、
前記検索の結果を記録する工程と、
前記第一の映像ソースの映像を表示中に、前記記録された検索の結果に基づき前記第二の映像ソースから前記第一の映像ソースの映像に関連付けられる映像を読み出す工程と、
前記第二の映像ソースから読み出された映像を表示する工程と
を有することを特徴とする画像表示方法。
【請求項１０】  少なくとも第一および第二の映像ソースを含む複数の映像ソースの映像を、表示するための画像表示システムを構築するためのプログラムを格納したコンピュータ読取り可能な記憶媒体であって、
前記プログラムは、
前記複数の映像ソースをそれぞれ接続するための接続モジュールと、
前記複数の映像ソースからその映像に付帯された付帯情報をそれぞれ取得する取得モジュールと、
前記複数の映像ソースの内、前記第一の映像ソースから取得された付帯情報を用いて前記第二の映像ソースから取得された付帯情報を検索する検索モジュールと、
前記検索の結果を記録する記録モジュールと、
前記第一の映像ソースの映像を表示中に、前記記録された検索の結果に基づき前記第二の映像ソースから前記第一の映像ソースの映像に関連付けられる映像を読み出す読出しモジュールと、
前記第二の映像ソースから読み出された映像を表示する制御モジュールと
を有することを特徴とする記憶媒体。
【請求項１１】  前記第一および第二の映像ソースの付帯情報は、撮影日時データであることを特徴とする請求項１０記載の記憶媒体。
【請求項１２】  前記第一の映像ソースの映像を表示中に、前記第二の映像ソースが前記接続モジュールにより接続されると、前記検索モジュールは前記検索を開始することを特徴とする請求項１０記載の記憶媒体。
【請求項１３】  前記第一および第二の映像ソースの付帯情報は、撮影位置データであることを特徴とする請求項１０記載の記憶媒体。
【請求項１４】  前記第一の映像ソースの映像は、連続する時間軸上に展開されている動画像であり、前記読出しモジュールは、前記第一の映像ソースから前記第二の映像ソースの映像に関連付けられた動画像を読み出す際に、前記第一の映像ソースの動画像の最初の部分が先頭位置にない場合は、前記第一の映像ソースの動画像の最初の部分が先頭位置になるように設定した後に前記先頭位置からの読み出し、または動画像の読み出し対象部分の一定の区間前の位置からの読み出しを開始することを特徴とする請求項１０又は１１記載の記憶媒体。
【請求項１５】  前記第一の映像ソースは、デジタル放送を含む放送または通信手段を介して映像を送出する外部装置であることを特徴とする請求項１０ないし１４のいずれか１つに記載の記憶媒体。
【請求項１６】  前記第一の映像ソースは、動画像を供給する装置であり、前記第一の映像ソースの動画像と関連付けされた第二の映像ソースの映像が静止画像であるときには、前記制御モジュールは、前記第一の映像ソースから再生された動画像を表示した表示画面の一部に、前記第一の映像ソースの動画像と関連付けされた第二の映像ソースの映像を表示することを特徴とする請求項１０ないし１４のいずれか１つに記載の記憶媒体。
【請求項１７】  前記制御モジュールは、前記表示画面の一部に前記第二の映像ソースの映像を複数表示するとともに、外部入力に応じて操作対象を、前記第一の映像ソースの映像あるいは前記第二の映像ソースの複数の映像に移動させることを特徴とする請求項１６記載の記憶媒体。
【手続補正２】
【補正対象書類名】明細書
【補正対象項目名】０００２
【補正方法】変更
【補正の内容】
【０００２】
【従来の技術】
従来、デジタルテレビジョン装置（以下、ＤＴＶという）においては、通常の番組放送、デジタル放送などのテレビジョン放送を受信可能であるとともに、電話回線、家庭内インタホン、玄関ドアホン、インターネット、ホームサーバ、各種家電機器などとのネットワーク接続が可能であり、それぞれの機器の静止画、動画、音声などの表示、再生が、単独画面、あるいはマルチ画面で可能なように構成されている。
【手続補正３】
【補正対象書類名】明細書
【補正対象項目名】００１９
【補正方法】変更
【補正の内容】
【００１９】
【課題を解決するための手段】
請求項１記載の発明は、少なくとも第一および第二の映像ソースを含む複数の映像ソースの映像を、表示することが可能なデジタルテレビジョン装置であって、前記複数の映像ソースをそれぞれ接続する接続手段と、前記複数の映像ソースからその映像に付帯された付帯情報をそれぞれ取得する取得手段と、前記複数の映像ソースの内、前記第一の映像ソースから取得された付帯情報を用いて前記第二の映像ソースから取得された付帯情報を検索する検索手段と、前記検索の結果を記録する記録手段と、前記第一の映像ソースの映像を表示中に、前記記録された検索の結果に基づき前記第二の映像ソースから前記第一の映像ソースの映像に関連付けられる映像を読み出す読出し手段と、前記第二の映像ソースから読み出された映像を表示する再生手段とを備えることを特徴とする。
【手続補正４】
【補正対象書類名】明細書
【補正対象項目名】００２３
【補正方法】変更
【補正の内容】
【００２３】
請求項５記載の発明は、請求項１又は２記載のデジタルテレビジョン装置において、前記第一の映像ソースの映像は、連続する時間軸上に展開されている動画像であり、前記読出し手段は、前記第一の映像ソースから前記第二の映像ソースの映像に関連付けられた動画像を読み出す際に、前記第一の映像ソースの動画像の最初の部分が先頭位置にない場合は、前記第一の映像ソースの動画像の最初の部分が先頭位置になるように設定した後に前記先頭位置からの読み出し、または動画像の読み出し対象部分の一定の区間前の位置からの読み出しを開始することを特徴とする。
【手続補正５】
【補正対象書類名】明細書
【補正対象項目名】００２４
【補正方法】変更
【補正の内容】
【００２４】
請求項６記載の発明は、請求項１ないし５のいずれか１つに記載のデジタルテレビジョン装置において、第一の映像ソースは、デジタル放送を含む放送または通信手段を介して映像を送出する外部装置であることを特徴とする。
【手続補正６】
【補正対象書類名】明細書
【補正対象項目名】００２５
【補正方法】変更
【補正の内容】
【００２５】
請求項７記載の発明は、請求項１ないし５のいずれか１つに記載のデジタルテレビジョン装置において、前記第一の映像ソースは、動画像を供給する装置であり、前記制御手段は、前記第一の映像ソースの動画像と関連付けされた第二の映像ソースの映像が静止画像であるときには、前記第一の映像ソースから再生された動画像を表示した表示画面の一部に、前記第一の映像ソースの動画像と関連付けされた第二の映像ソースの映像を表示することを特徴とする。
【手続補正７】
【補正対象書類名】明細書
【補正対象項目名】００２６
【補正方法】変更
【補正の内容】
【００２６】
請求項８記載の発明は、請求項７記載のデジタルテレビジョン装置において、前記制御手段は、前記表示画面の一部に前記第二の映像ソースの映像を複数表示するとともに、外部入力に応じて操作対象を、前記第一の映像ソースの映像あるいは前記第二の映像ソースの複数の映像に移動させることを特徴とする。
【手続補正８】
【補正対象書類名】明細書
【補正対象項目名】００２７
【補正方法】変更
【補正の内容】
【００２７】
請求項９記載の発明は、少なくとも第一および第二の映像ソースを含む複数の映像ソースの映像を、表示するための画像表示方法であって、前記複数の映像ソースをそれぞれ接続する工程と、前記複数の映像ソースからその映像に付帯された付帯情報をそれぞれ取得する工程と、前記複数の映像ソースの内、前記第一の映像ソースから取得された付帯情報を用いて前記第二の映像ソースから取得された付帯情報を検索する工程と、前記検索の結果を記録する工程と、前記第一の映像ソースの映像を表示中に、前記記録された検索の結果に基づき前記第二の映像ソースから前記第一の映像ソースの映像に関連付けられる映像を読み出す工程と、前記第二の映像ソースから読み出された映像を表示する工程とを有することを特徴とする。
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】削除
【補正の内容】
【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】削除
【補正の内容】
【手続補正１４】
【補正対象書類名】明細書
【補正対象項目名】００３３
【補正方法】削除
【補正の内容】
【手続補正１５】
【補正対象書類名】明細書
【補正対象項目名】００３４
【補正方法】削除
【補正の内容】
【手続補正１６】
【補正対象書類名】明細書
【補正対象項目名】００３５
【補正方法】変更
【補正の内容】
【００３５】
請求項１０記載の発明は、少なくとも第一および第二の映像ソースを含む複数の映像ソースの映像を、表示するための画像表示システムを構築するためのプログラムを格納したコンピュータ読取り可能な記憶媒体であって、前記プログラムは、前記複数の映像ソースをそれぞれ接続するための接続モジュールと、前記複数の映像ソースからその映像に付帯された付帯情報をそれぞれ取得する取得モジュールと、前記複数の映像ソースの内、前記第一の映像ソースから取得された付帯情報を用いて前記第二の映像ソースから取得された付帯情報を検索する検索モジュールと、前記検索の結果を記録する記録モジュールと、前記第一の映像ソースの映像を表示中に、前記記録された検索の結果に基づき前記第二の映像ソースから前記第一の映像ソースの映像に関連付けられる映像を読み出す読出しモジュールと、前記第二の映像ソースから読み出された映像を表示する再生モジュールとを有することを特徴とする。
【手続補正１７】
【補正対象書類名】明細書
【補正対象項目名】００３６
【補正方法】変更
【補正の内容】
【００３６】
請求項１１記載の発明は、請求項１０記載の記憶媒体において、前記第一および第二の映像ソースの付帯情報は、撮影日時データであることを特徴とする。
【手続補正１８】
【補正対象書類名】明細書
【補正対象項目名】００３７
【補正方法】変更
【補正の内容】
【００３７】
請求項１２記載の発明は、請求項１０記載の記憶媒体において、前記第一の映像ソースの映像を表示中に、前記第二の映像ソースが前記接続モジュールにより接続されると、前記検索モジュールは前記検索を開始することを特徴とする。
【手続補正１９】
【補正対象書類名】明細書
【補正対象項目名】００３８
【補正方法】変更
【補正の内容】
【００３８】
請求項１３記載の発明は、請求項１０記載の記憶媒体において、前記第一および第二の映像ソースの付帯情報は、撮影位置データであることを特徴とする。
【手続補正２０】
【補正対象書類名】明細書
【補正対象項目名】００３９
【補正方法】変更
【補正の内容】
【００３９】
請求項１４記載の発明は、請求項１０又は１１記載の記憶媒体において、前記第一の映像ソースの映像は、連続する時間軸上に展開されている動画像であり、前記読出しモジュールは、前記第一の映像ソースから前記第二の映像ソースの映像に関連付けられた動画像を読み出す際に、前記第一の映像ソースの動画像の最初の部分が先頭位置にない場合は、前記第一の映像ソースの動画像の最初の部分が先頭位置になるように設定した後に前記先頭位置からの読み出し、または動画像の読み出し対象部分の一定の区間前の位置からの読み出しを開始することを特徴とする。
【手続補正２１】
【補正対象書類名】明細書
【補正対象項目名】００４０
【補正方法】変更
【補正の内容】
【００４０】
請求項１５記載の発明は、請求項１０ないし１４のいずれか１つに記載の記憶媒体において、前記第一の映像ソースは、デジタル放送を含む放送または通信手段を介して映像を送出する外部装置であることを特徴とする。
【手続補正２２】
【補正対象書類名】明細書
【補正対象項目名】００４１
【補正方法】変更
【補正の内容】
【００４１】
請求項１６記載の発明は、請求項１０ないし１４のいずれか１つに記載の記憶媒体において、前記第一の映像ソースは、動画像を供給する装置であり、前記第一の映像ソースの動画像と関連付けされた第二の映像ソースの映像が静止画像であるときには、前記制御モジュールは、前記第一の映像ソースから再生された動画像を表示した表示画面の一部に、前記第一の映像ソースの動画像と関連付けされた第二の映像ソースの映像を表示することを特徴とする。
【手続補正２３】
【補正対象書類名】明細書
【補正対象項目名】００４２
【補正方法】変更
【補正の内容】
【００４２】
請求項１７記載の発明は、請求項１６記載の記憶媒体において、前記制御モジュールは、前記表示画面の一部に前記第二の映像ソースの映像を複数表示するとともに、外部入力に応じて操作対象を、前記第一の映像ソースの映像あるいは前記第二の映像ソースの複数の映像に移動させることを特徴とする。
【手続補正２４】
【補正対象書類名】明細書
【補正対象項目名】００６２
【補正方法】変更
【補正の内容】
【００６２】
ここで、上記表示されているサムネイル画像は、リンク情報のスキャンにより検出され、関連情報（リンクマーク、トラックナンバー）が記録されたメモリカード内の映像情報のサムネイル画像である。また、上記ＤＶＣの再生映像の画面においては、ＤＶＣに対する操作パネル７０４を、リモコン２２０を用いて操作することによって、ＤＶＣを操作することが可能である。また、アイコン７０７およびサムネイル画像７０６を操作することにより、リモコン２２０による操作対象のパネルがサムネイル画像７０６に移動する。ここで、図８に示すように、サムネイル画像８０２がリモコン２２０の操作により選択されると、サムネイル画像８０２が選択されていることを表すようにサムネイル画像８０２にフォーカス枠が出現する。このようにして所望のサムネイル画像が選択されたときに、リモコン２２０上の実行ボタンを押すと、上記ＤＶＣの再生映像の画面は、サーチ中を示すアイコン８０１に変化し、リモコン２２０の操作によりサムネイル画像８０２に対応するメモリカード内の映像情報と関連付けられたＤＶＣの記録メディアに格納されている映像情報をサーチするリンクサーチ状態となる。
【手続補正２５】
【補正対象書類名】明細書
【補正対象項目名】００８３
【補正方法】変更
【補正の内容】
【００８３】
【発明の効果】
以上説明したように、本発明のデジタルテレビジョン装置によれば、複数の映像ソースをそれぞれ接続する接続手段と、複数の映像ソースからその映像に付帯された付帯情報をそれぞれ取得する取得手段と、複数の映像ソースの内、前記第一の映像ソースから取得された付帯情報を用いて第二の映像ソースから取得された付帯情報を検索する検索手段と、検索の結果を記録する記録手段と、第一の映像ソースの映像を表示中に、記録された検索の結果に基づき第二の映像ソースから第一の映像ソースの映像に関連付けられる映像を読み出す読出し手段と、第二の映像ソースから読み出された映像を表示する制御手段とを備えるので、複数の映像ソースの映像を互いに関連付けて視聴することができる。
【手続補正２６】
【補正対象書類名】明細書
【補正対象項目名】００８４
【補正方法】変更
【補正の内容】
【００８４】
本発明の画像表示方法によれば、複数の映像ソースをそれぞれ接続する工程と、複数の映像ソースからその映像に付帯された付帯情報をそれぞれ取得する工程と、複数の映像ソースの内、前記第一の映像ソースから取得された付帯情報を用いて第二の映像ソースから取得された付帯情報を検索する工程と、検索の結果を記録する工程と、第一の映像ソースの映像を表示中に、記録された検索の結果に基づき第二の映像ソースから第一の映像ソースの映像に関連付けられる映像を読み出す工程と、第二の映像ソースから読み出された映像を表示する工程とを有するので、複数の映像ソースの映像を互いに関連付けて視聴することができる。
【手続補正２７】
【補正対象書類名】明細書
【補正対象項目名】００８５
【補正方法】変更
【補正の内容】
【００８５】
本発明の記憶媒体によれば、プログラムは、複数の映像ソースをそれぞれ接続するための接続モジュールと、複数の映像ソースからその映像に付帯された付帯情報をそれぞれ取得する取得モジュールと、複数の映像ソースの内、第一の映像ソースから取得された付帯
情報を用いて第二の映像ソースから取得された付帯情報を検索する検索モジュールと、検索の結果を記録する記録モジュールと、第一の映像ソースの映像を表示中に、記録された検索の結果に基づき第二の映像ソースから前記第一の映像ソースの映像に関連付けられる映像を読み出す読出しモジュールと、第二の映像ソースから読み出された映像を表示する制御モジュールとを有するので、複数の映像ソースの映像を互いに関連付けて視聴することができる。